(57)【特許請求の範囲】
【請求項１】
第一ケースと第二ケースが組み合わされて、内部に電気回路体の収容空間が形成されていると共に、自動車の支持部材に対して取付ボルトで固定されるボルト固定部が設けられた電気接続箱において、
前記第一ケースの周壁部から外方に突出形成された第一固定板と前記第二ケースの周壁部から外方に突出形成された第二固定板とが前記第一ケースと前記第二ケースの組み合わせ方向で互いに重ね合わされて、前記取付ボルトの挿通孔を有する前記ボルト固定部が構成されている一方、
前記第一固定板の両側縁部に対して前記第一ケースの周壁部から外方に突出形成された第一補強リブがそれぞれ連接されている一方、前記第二固定板の両側縁部に対して前記第二ケースの周壁部から外方に突出形成された第二補強リブがそれぞれ連接されていると共に、前記第二固定板の外周縁部に沿って延びる周縁リブが形成されて前記第二補強リブにそれぞれ連接されており、前記第二固定板の前記周縁リブの内周側に前記第一固定板が嵌め合わされていると共に、前記第二固定板の各前記第二補強リブに対してそれぞれの内側から前記第一固定板の各前記第一補強リブが重ね合わされており、且つ、
前記第一固定板と前記第二固定板との重ね合わせ部分には、一方の固定板から他方の固定板に向かって突出する嵌合突部と、前記他方の固定板において前記嵌合突部が嵌め込まれる嵌合凹部とが形成されている
ことを特徴とする電気接続箱。
【請求項２】
前記第一固定板と前記第二固定板とを重ね合わせて構成された前記ボルト固定部には、前記支持部材に突出形成された位置決めピンを挿通するピン挿通孔が形成されている請求項１に記載の電気接続箱。
【発明の詳細な説明】
【技術分野】
【０００１】
本発明は、自動車の支持部材に対してボルト固定される電気接続箱に関する。
【背景技術】
【０００２】
従来から、自動車の車室内やエンジンルーム等には、ヒューズボックス、リレーボックス、ジャンクションボックス等の電気接続箱が装着されている。このような電気接続箱は、車体パネルやメーターパネル等の自動車の支持部材に対してボルト固定される場合が多い。例えば、特開２００３−９２８１６号公報（特許文献１）に示されているように、電気接続箱の合成樹脂製のケースに対してボルト固定部を一体的に突設すると共に、このボルト固定部に設けられたボルト挿通孔を通して取付ボルトを支持部材に螺着することにより、電気接続箱が車体側支持部に固定的に装着される。
【０００３】
ところで、電気接続箱を支持部材に固定するに際しては、支持部材に入力される振動等で電気接続箱が変位したり外れたりすることを避けるために、大きなボルト固定力によって強固に固定する必要がある。それ故、取付ボルトの締め付け力を大きく確保する必要があるが、そのために、取付ボルトの大きな締め付けトルクに耐え得るように、ボルト固定部の板厚を厚くしてボルト固定部の剛性を確保することが行われている。
【０００４】
ところが、ボルト固定部の板厚を厚くすると、電気接続箱のケースに一体的に突設されているボルト固定部が、射出成形後の熱収縮による反りの影響を受けやすくなる。その結果、ボルト固定部の平坦性の確保が困難となり、取付ボルトを完全に締め付けることが困難となって、取付ボルトによる所期の固定力が得られなくなる場合があった。
【０００５】
また、ボルト固定部に反りがあることで、取付ボルトの締め付けに際して、ボルト固定部やケース側に対して予期せぬ応力の集中が発生する可能性があり、電気接続箱の亀裂や破損を生じさせるおそれがあった。
【先行技術文献】
【特許文献】
【０００６】
【特許文献１】特開２００３−９２８１６号公報
【発明の概要】
【発明が解決しようとする課題】
【０００７】
本発明は、上述の事情を背景に為されたものであって、その解決課題は、反りの発生を抑えつつ取付ボルトの締め付けトルクに耐え得る充分な剛性を確保することができるボルト固定部を備えた、新規な構造の電気接続箱を提供することにある。
【課題を解決するための手段】
【０００８】
本発明の第一の態様は、第一ケースと第二ケースが組み合わされて、内部に電気回路体の収容空間が形成されていると共に、自動車の支持部材に対して取付ボルトで固定されるボルト固定部が設けられた電気接続箱において、前記第一ケースの周壁部から外方に突出形成された第一固定板と前記第二ケースの周壁部から外方に突出形成された第二固定板とが前記第一ケースと前記第二ケースの組み合わせ方向で互いに重ね合わされて、前記取付ボルトの挿通孔を有する前記ボルト固定部が構成されている一方、前記第一固定板の両側縁部に対して前記第一ケースの周壁部から外方に突出形成された第一補強リブがそれぞれ連接されている一方、前記第二固定板の両側縁部に対して前記第二ケースの周壁部から外方に突出形成された第二補強リブがそれぞれ連接されていると共に、前記第二固定板の外周縁部に沿って延びる周縁リブが形成されて前記第二補強リブにそれぞれ連接されており、前記第二固定板の前記周縁リブの内周側に前記第一固定板が嵌め合わされていると共に、前記第二固定板の各前記第二補強リブに対してそれぞれの内側から前記第一固定板の各前記第一補強リブが重ね合わされており、且つ、前記第一固定板と前記第二固定板との重ね合わせ部分には、一方の固定板から他方の固定板に向かって突出する嵌合突部と、前記他方の固定板において前記嵌合突部が嵌め込まれる嵌合凹部とが形成されていることを特徴とする。
【０００９】
本態様によれば、ボルト固定部を、第一固定板と第二固定板の二つの分割体で協働して形成することができる。そのため、第一固定板と第二固定板のそれぞれの厚さを薄くできる。それにより、ボルト固定部を１枚の厚い板材にて構成する場合に比して、第一及び第二固定板をそれぞれ形成する樹脂量を有利に少なく抑え得る。その結果、それら第一及び第二固定板の成形時の反りの問題を効果的に解消できる。
【００１０】
また、第一及び第二固定板の両側縁部を、第一ケースと第二ケースのそれぞれの周壁部から突出形成された各補強リブで支持させることができる。これによって、第一及び第二固定板が薄肉とされていても、それら第一及び第二固定板のそれぞれの剛性、更にはボルト固定部全体の剛性を十分に確保できる。特に、第一固定板が重ね合わされる第二固定板に、周縁リブを設けて、この周縁リブを補強リブに連接することで、一層の剛性強化が図られる。
【００１１】
しかも、単に、第一固定板と第二固定板とを重ね合わせるだけでなく、それらに設けられた第一補強リブと第二補強リブとを互いに重ね合わせることで、各固定板、ひいてはボルト固定部の剛性を、より一層有利に高めることができる。また、それと共に、ボルト固定部を第一固定板と第二固定板との分割構造としたことによって生ずる第一固定板と第二固定板との相互の位置ずれの問題も、補強リブ同士の当接、及び第一固定板周縁部の第二固定板の周縁リブへの当接を巧みに利用することにより、効果的に解消できる。
【００１２】
加えて、第二固定板の周縁リブの内側への第一固定板の周縁部の嵌めこみ一体化と、補強リブ同士の嵌め込み一体化により、十分に高い相互補強効果を更に有利に確保できる。その結果、曲げモーメントに対する変形強度も、効果的に高めることが可能となる。
【００１３】
上記本発明の第一の態様に係る電気接続箱においては、前記第一固定板と前記第二固定板との重ね合わせ部分には、一方の固定板から他方の固定板に向かって突出する嵌合突部と、前記他方の固定板において前記嵌合突部が嵌め込まれる嵌合凹部とが形成されている態様が、採用されている。
【００１４】
本態様によれば、両固定板の重ね合わせ面間に、凹凸係合による位置決めガイドを嵌合突部と嵌合凹部とにて設けることができる。それによって、取付ボルトの締め付けトルクによる重ね合わせ面間の位置ずれを一層確実に防止できる。
【００１５】
本発明の第二の態様は、前記第一の態様に記載の電気接続箱において、前記第一固定板と前記第二固定板とを重ね合わせて構成された前記ボルト固定部には、前記支持部材に突出形成された位置決めピンを挿通するピン挿通孔が形成されているものである。
【００１６】
本態様によれば、取付ボルトの装着部付近に位置決めピンの挿通孔を設けることができる。そのため、ボルト固定作業における位置決め精度の向上、作業性の向上等が図られる。なお、ボルト固定部にピン挿通孔を形成することで、ボルト固定部は大型化するものの、上記の分割構造および補強構造により、大型化による反りの問題を回避しつつ強度を確保することができる。
【発明の効果】
【００１７】
本発明によれば、ボルト固定部での反りの発生を有利に抑えつつ、ボルト固定部において、取付ボルトの締付けトルクに耐え得る充分な剛性を確保できる。その結果、取付ボルトを完全に締め付けて、取付ボルトによる所期の固定力を得ることができると共に、取付ボルトの締付けによる電気接続箱の亀裂や破損の発生を未然に防止できる。
【図面の簡単な説明】
【００１８】
【図１】本発明の第一の実施形態としての電気接続箱の斜視図。
【図２】図１に示された電気接続箱の分解斜視図。
【図３】図１に示された電気接続箱を構成するアッパケースの要部の下方斜視図。
【図４】図１に示された電気接続箱を自動車に装着した状態での部分拡大図。
【発明を実施するための形態】
【００１９】
以下、本発明の実施形態について、図面を参照しつつ説明する。
【００２０】
先ず、図１及び図２には、本発明の一実施形態として、自動車用の電気接続箱１０が、その組合せ状態での斜視形態と分解状態での斜視形態とにおいて、それぞれ示されている。それら図１及び図２から明らかなように、電気接続箱１０は、第一ケースとしてのアッパケース１２と、第二ケースとしてのロアケース１４とを有し、それらが上下方向において互いに組み合わされて構成されている。また、そのような電気接続箱１０の内部には、所定の収容空間が形成され、この収容空間内に、絶縁板に対して図示しないバスバーや単芯線、接続端子が組み付けられて内部回路を構成する電気回路体１６が収容されている。なお、以下の説明において、便宜上、アッパケース１２側を上側、ロアケース１４側を下側と言うこととする。
【００２１】
より具体的には、アッパケース１２は、合成樹脂製で、下方に向かって開口する略長方形状の有底の箱体からなっている。そして、略長方形の平板からなる天板部１８と、この天板部１８の外周縁部から下方に突出して、周方向に連続して延びる周壁部２０とを、一体的に有している。この周壁部２０は、全体として、略長方形の枠体形状を呈している。
【００２２】
アッパケース１２の天板部１８には、ヒューズ装着部２２とコネクタ装着部２４とリレー装着部２６とが、それぞれ複数個ずつ設けられている。図に明示されてはいないものの、それら各装着部２２，２４，２６には、電気回路体１６に設けられた接続端子が、天板部１８を貫通して、突出配置されている。そして、それら接続端子に対して、ヒューズ装着部２２、コネクタ装着部２４、リレー装着部２６にそれぞれ装着されるヒューズやコネクタ、リレーの端子部が接続されるようになっている。
【００２３】
アッパケース１２の周壁部２０は、アッパケース１２（天板部１８）の長さ方向に延びる第一側壁部２８ａ及び第二側壁部２８ｂと、その幅方向に延びる第三側壁部２８ｃ及び第四側壁部２８ｄとからなっている。
【００２４】
第一側壁部２８ａと第二側壁部２８ｂのそれぞれの延出方向の中間部には、係止突起３０が、延出方向に間隔を開けて、それぞれ複数個（ここでは２個又は３個）ずつ設けられている。また、第三側壁部２８ｃと第四側壁部２８ｄのそれぞれの延出方向の一端部側にも、係止突起３０が、それぞれ１個ずつ設けられている。更に、各側壁部２８ａ，２８ｂ，２８ｃ，２８ｄにおける各係止突起３０の両サイド部位には、位置決め突起３２が、それぞれ１個ずつ形成されている。
【００２５】
そして、第一側壁部２８ａの延出方向両端側部分と、第三側壁部２８ｃと第四側壁部２８ｄの延出方向における係止突起３０の形成側とは反対側の端部とには、第一固定部３４が、それぞれ１個ずつ一体形成されている。それら複数個の第一固定部３４は、互いに同じ構造を有している。
【００２６】
すなわち、第一固定部３４は、図２に示されるように、第一、第三、及び第四の側壁部２８ａ，２８ｃ，２８ｄに一体形成された突出板部３６を有している。この突出板部３６は、所定の幅寸法で各側壁部２８ａ，２８ｃ，２８ｄ（周壁部２０）の下端縁から下方に突出して延びる突出部分を備えた薄肉平板からなっている。
【００２７】
そのような突出板部３６の外面の幅方向両端縁部には、第一補強リブ３８が、それぞれ１個ずつ、一体的に立設されている。また、突出板部３６の外面の幅方向中間部には、中間補強リブ４０が、一体的に立設されている。即ち、各第一補強リブ３８と各中間補強リブ４０とが、突出板部３６を介して、周壁部２０から外方に突出形成されている。それら各第一補強リブ３８と中間補強リブ４０は、何れも、突出板部３６の全長に亘って上下方向に連続して延びる薄肉の平板からなっている。そして、第一補強リブ３８は、下方に向かうに従って次第に幅広となる直角三角形形状を有している。中間補強リブ４０は、全長に亘って同一の幅とされた長方形状を有している。
【００２８】
また、突出板部３６における周壁部２０の下端縁から下方への突出部分の外面の先端部には、第一固定板４２が一体形成されている。この第一固定板４２は、突出板部３６に対して略９０°の角度で突出している。即ち、第一固定板４２は、周壁部２０の下端縁よりも下側の位置で、アッパケース１２の周壁部２０に対して、突出板部３６を介して、外方に向かって突出形成されている。そして、突出板部３６の幅方向両側端縁部にそれぞれ設けられた２個の第一補強リブ３８，３８下端縁部間に架設されている。換言すれば、アッパケース１２の周壁部２０から外方に突出形成された２個の第一補強リブ３８，３８が第一固定板４２の両側縁部に連接されている。
【００２９】
この第一固定板４２は、突出板部３６と同程度の薄い肉厚と、突出板部３６と同一の幅とを有している。第一固定板４２の上面の幅方向中間部には、中間補強リブ４０の下端縁が一体化されている。そして、この第一固定板４２の中間補強リブ４０を間に挟んだ幅方向一方側に、第一ボルト孔４４が、また、その幅方向の他方側に、第一位置決め孔４６が、それぞれ第一固定板４２を厚さ方向に貫通して形成されている。それら第一ボルト孔４４と第一位置決め孔４６は、何れも、円形状又は長円形状を有している。
【００３０】
また、図３から明らかなように、第一固定板４２の下面の幅方向中間部における第一ボルト孔４４と第一位置決め孔４６との間には、嵌合突部４８が、一体的に突設されている。この嵌合突部４８は、比較的に低い高さを有する薄肉（狭幅）の平板からなる突条形態を有している。このような嵌合突部４８は、周壁部２０から下方に突出する突出板部３６の突出部分から延び出している。そして、その長さが、第一固定板４２の突出板部３６からの突出方向の基端から突出方向先端にまで達しない長さとされている。
【００３１】
一方、図１及び図２に示されるように、ロアケース１４は、合成樹脂製で、上方に向かって開口する略長方形状の有底の箱体からなっている。そして、略長方形の平板からなる底板部５０と、この底板部５０の外周縁部から上方に突出して、周方向に連続して延びる周壁部５２とを、一体的に有している。この周壁部５２は、全体として、略長方形の枠体形状を呈している。
【００３２】
ロアケース１４の周壁部５２は、ロアケース１４（底板部５０）の長さ方向に延びる第一側壁部５４ａ及び第二側壁部５４ｂと、その幅方向に延びる第三側壁部５４ｃ及び第四側壁部５４ｄとからなっている。
【００３３】
第一側壁部５４ａと第二側壁部５４ｂのそれぞれの延出方向の中間部には、係止部５６が、延出方向に間隔を開けて、それぞれ複数個（ここでは２個又は３個）ずつ設けられている。また、第三側壁部５４ｃと第四側壁部５４ｄのそれぞれの延出方向の一端部側にも、係止部５６が、それぞれ１個ずつ設けられている。それら各係止部５６は、アッパケース１２の各側壁部２８ａ，２８ｂ，２８ｃ，２８ｄにそれぞれ設けられた係止突起３０が係止可能な構造を有している。そして、ロアケース１４の周壁部５２における周方向での各係止部５６の配設位置が、アッパケース１２の周壁部２０における周方向での各係止突起３０の配設位置と同じ位置とされている。
【００３４】
また、各側壁部５４ａ，５４ｂ，５４ｃ，５４ｄにおける各係止部５６の両サイド部位には、位置決め凹部５８が、それぞれ１個ずつ形成されている。それら各位置決め凹部５８は、アッパケース１２の各側壁部２８ａ，２８ｂ，２８ｃ，２８ｄにそれぞれ設けられた位置決め突起３２が挿入可能な構造を有している。そして、ロアケース１４の周壁部５２における周方向での各位置決め凹部５８の配設位置が、アッパケース１２の周壁部２０における周方向での各位置決め突起３２の配設位置と同じ位置とされている。
【００３５】
そして、第一側壁部５４ａの延出方向両端側部分と、第三側壁部５４ｃと第四側壁部５４ｄの延出方向における係止部５６の形成側とは反対側の端部とには、第二固定部６０が、それぞれ１個ずつ一体形成されている。ロアケース１４の周壁部５２における周方向での各第二固定部６０の配設位置は、アッパケース１２の周壁部２０における周方向での各第一固定部３４の配設位置と同じ位置とされている。そして、それら複数個の第二固定部６０は、互いに同じ構造を有している。
【００３６】
すなわち、第二固定部６０は、第二固定板６２を有している。この第二固定板６２は、第一、第三、及び第四側壁部５４ａ，５４ｃ，５４ｄのそれぞれの外面の下端縁から９０°の角度で周壁部５２の外方に突出している。即ち、第二固定板６２は、ロアケース１４の周壁部５２の下端縁から外方に向かって一体的に突出形成されている。このようなロアケース１４の周壁部５２における周方向での各第二固定板６２の配設位置が、アッパケース１２の周壁部２０における周方向での各第一固定板４２の配設位置と同じ位置とされている。
【００３７】
第二固定板６２は、第一固定板４２と同程度の薄い肉厚と、第一固定板４２よりも一周り大きな大きさとを有している。そして、第二固定板６２の幅方向（周壁部５２の周方向に対応する方向）の一方側には、第二ボルト孔６４が、また、その幅方向の他方側には、第二位置決め孔６６が、それぞれ第二固定板６２を厚さ方向に貫通して形成されている。それら第二ボルト孔６４と第二位置決め孔６６は、何れも、円形状又は長円形状を有している。また、第二ボルト孔６４と第二位置決め孔６６の第二固定板６２での形成位置が、第一固定板４２での第一ボルト孔４４と第一位置決め孔４６の形成位置と同じ位置とされている。第二ボルト孔６４は、第一ボルト孔４４よりも一回り大きな大きさを有している。一方、第二位置決め孔６６は、第一位置決め孔４６よりも一回り小さな大きさを有している。
【００３８】
また、第二固定板６２の幅方向中間部における第二ボルト孔６４と第二位置決め孔６６との間には、嵌合凹部としての嵌合孔６８が設けられている。この嵌合孔６８は、第二固定板６２の周壁部５２からの突出方向に延びる細長い長方形状を有し、第一固定板４２の下面に突設された嵌合突部４８が嵌合可能とされている。
【００３９】
第二固定板６２の幅方向両側縁部には、第二補強リブ７０が、それぞれ１個ずつ一体的に立設されている。それら各第二補強リブ７０は、第一、第三、及び第四の側壁部５４ａ，５４ｃ，５４ｄの全高に亘って上下方向に連続して延びる薄肉の平板からなり、全体形状が、下方に向かうに従って次第に幅広となる直角三角形形状とされている。そして、そのような第二補強リブ７０が、幅広の下端辺縁部において、第二固定板６２の幅方向の縁部に一体化されている一方、鉛直方向に延びる辺縁部において、各側壁部５４ａ，５４ｃ，５４ｄに一体化されている。即ち、ロアケース１４の周壁部５２から外方に突出形成された第二補強リブ７０が、第二固定板６２の幅方向両側縁部に連接されているのである。
【００４０】
また、第二固定板６２の外周縁部には、第二補強リブ７０が連接される幅方向両側縁部を除く部分に、周縁リブ７２が一体的に立設されている。この周縁リブ７２は、その高さが、第一固定板４２の厚さと略同一の寸法とされている。そして、第二固定板６２の幅方向一方側の第二補強リブ７０形成部位から、幅方向他方側の第二補強リブ７０の形成部位に向かって、第二固定板６２の外周縁部に沿って延びるように配置されている。この周縁リブ７２は、第二固定板６２の幅方向両側にそれぞれ設けられた第二補強リブ７０，７０にそれぞれ連接されている。
【００４１】
そして、上記のような構造とされたアッパケース１２とロアケース１４とが、前者を上側に位置させ、且つそれらの間に電気回路体１６を間に挟んだ状態で、互いに開口側で組み合わされている。このアッパケース１２とロアケース１４の組合せは、アッパケース１２の周壁部２０が、ロアケース１４の周壁部５２の内側に嵌め込まれることにより実現される。また、そのような組合せに際しては、アッパケース１２の各位置決め突起３２が、それと対応位置するロアケース１４の位置決め凹部５８内に挿入させられることにより、アッパケース１２とロアケース１４との位置決めが行われるようになっている。そして、アッパケース１２の各係止突起３０が、それと対応位置するロアケース１４の係止部５６に係止させられることにより、アッパケース１２とロアケース１４との組合せ状態がロックされる。これによって、電気接続箱１０が形成されている。このような電気接続箱１０内には、アッパケース１２とロアケース１４との間に収容空間が形成されて、この収容空間内に、電気回路体１６が収容されているのである。
【００４２】
そして、図１及び図４に示されるように、アッパケース１２とロアケース１４との組合せによって、互いに対応位置する第一固定部３４と第二固定部６０とが相互に組み付けられる。即ち、アッパケース１２の周壁部２０の下端縁よりも下側に位置する第一固定板４２が、第二固定板６２上に重ね合わされる。この重ね合わせ状態下で、第一固定板４２が、第二固定板６２の周縁リブ７２の内側に嵌め合わされて、第一固定板４２の外周面が周縁リブ７２の内周面に接触する。また、第二固定板６２の幅方向両側に立設された第二補強リブ７０のそれぞれの内側面（互いの対向面）に対して、第一固定板４２の幅方向両側に立設された第一補強リブ３８が重ね合わされる。この第一固定部３４と第二固定部６０との組付けに際しては、第一固定板４２の下面に突設された嵌合突部４８が、第二固定板６２に設けられた嵌合孔６８に嵌め入れられることで、第一固定部３４（第一固定板４２）と第二固定部６０（第二固定板６２）とが容易に位置合わせされるようになっている。
【００４３】
これによって、電気接続箱１０（ロアケース１４）の周壁部５２に対して、第一固定部３４と第二固定部６０とが相互に組み付けられてなるボルト固定部７４の複数（ここでは４個）が、周方向に間隔を開けて、一体的に形成される。そして、それら各ボルト固定部７４には、第一固定板４２の第一ボルト孔４４と第二固定板６２の第二ボルト孔６４とにて、ボルト挿通孔７６が形成される。また、第一固定板４２の第一位置決め孔４６と第二固定板６２の第二位置決め孔６６とにて、ピン挿通孔７８が形成される。
【００４４】
このような電気接続箱１０を自動車に装着する場合には、例えば、図４に示されるように、電気接続箱１０を自動車の支持部材８０上に配置する。それと共に、支持部材８０上に一体形成された複数（図４は１個のみ示す）の位置決めピン８２を、ボルト固定部７４のピン挿通孔７８内に、その下側開口部（第二位置決め孔６６）側から挿通する。これにより、電気接続箱１０を支持部材８０上の所定位置に位置決めする。また、そのような位置決め下で、図示しない取付ボルトを、ボルト固定部７４のボルト挿通孔７６内に、その上側開口部（第一ボルト孔４４）側から挿通する。そして、ボルト挿通孔７６に挿通された取付ボルトを、支持部材８０上に位置決めピン８２と隣接して設けられた螺合部８４の雌ねじ孔に螺入する。これにより、電気接続箱１０を支持部材８０にボルト固定するのである。
【００４５】
このように、本実施形態の電気接続箱１０では、ボルト固定部７４の取付ボルトの挿通部分が、比較的に薄肉の第一固定板４２と第二固定板６２とが互いに重ね合わされて形成されている。つまり、ボルト固定部７４のボルト挿通部分が、第一固定板４２と第二固定板６２の二つの分割体からなる分割構造とされている。そのため、ボルト固定部７４のボルト挿通部分を１枚の厚い板材にて形成する場合に比して、第一固定板４２と第二固定板６２を略半分の樹脂量でそれぞれ形成することができる。これによって、第一固定板４２と第二固定板６２の形成時に、それら各固定板４２，６２に反りが生じることを有利に防止できる。また、第一固定板４２の下面に嵌合突部４８に一体形成されていることによっても、第一固定板４２の反りを効果的に防止できる。
【００４６】
従って、そのような電気接続箱１０においては、ボルト固定部７４のボルト挿通孔７６に挿通された取付ボルトを支持部材８０の螺合部８４に完全に締め付けて、取付ボルトによる所期の固定力を得ることができる。また、ボルト固定部７４のボルト挿通部分の反りによって、取付ボルトの締付け時に、ボルト固定部７４やアッパケース１２、ロアケース１４に対して予期せぬ応力の集中が発生し、更にはそれに起因した亀裂や破損が生じることを未然に防止できる。
【００４７】
そして、ボルト固定部７４での反りの問題が有利に解消されるため、ボルト固定部７４を大型化でき、１個のボルト固定部７４に対して、ボルト挿通孔７６とピン挿通孔７８の両方を形成可能となっている。これによって、ボルト挿通孔７６とピン挿通孔７８とを近接配置可能となって、寸法公差を小さくでき、以って、位置決め精度の向上が図られる。その結果、ボルト締め作業の高精度化・効率化を実現可能となる。また、ボルト固定部７４での反りがないため、位置決めピン８２をピン挿通孔７８内に、確実に且つ容易に挿入できる。
【００４８】
また、本実施形態の電気接続箱１０では、薄肉の第一及び第二固定板４２，６２の両側縁部に、アッパケース１２とロアケース１４の各周壁部２０，５２に突出形成された第一及び第二補強リブ３８，７０が連接されている。これによって、薄肉とされた第一及び第二固定板４２，６２が第一及び第二補強リブ３８，７０にて確実に支持される。その結果、第一及び第二固定板４２，６２が薄肉とされているにも拘わらず、それら各固定板４２，６２の剛性、更にはボルト固定部７４全体の剛性を十分に確保できる。また、第一固定板４２が重ね合わされる第二固定板６２に対して、第二補強リブ７０，７０に連接された周縁リブ７２が設けられていることにより、第二固定板６２と、それと重ね合わされる第一固定板４２の剛性強化が、より一層有利に図られる。しかも、第一補強リブ３８と第二補強リブ７０とが互いに重ね合わされていることによっても、ボルト固定部７４全体の剛性を、より一層有利に高めることができる。これらの結果、ボルト固定部７４において、取付ボルトの締め付けトルクに耐え得る充分な剛性を確保できる。
【００４９】
さらに、ボルト固定部７４を第一固定部３４と第二固定部６０との分割構造としたことによって生ずる第一固定部３４と第二固定部６０との相互の位置ずれの問題も、第一補強リブ３８と第二補強リブ７０の相互の当接、及び第二固定板６２の周縁リブ７２の内周面に対する第一固定板４２の外周面の当接により、効果的に解消できる。
【００５０】
また、第一固定板４２と第二固定板６２との重ね合わせと、第一固定板４２の外周面と第二固定板６２の周縁リブ７２の内周面との当接と、第一補強リブ３８と第二補強リブ７０との当接とにより、曲げモーメントに対する変形強度も、効果的に高めることが可能となる。
【００５１】
さらに、本実施形態の電気接続箱１０では、第一固定板４２の嵌合突部４８が、第二固定板６２の嵌合孔６８内に嵌入されている。これによって、第一固定板４２と第二固定板６２との位置合わせが容易となるだけでなく、取付ボルトの締め付けトルクによる第一固定板４２と第二固定板６２との位置ずれを一層確実に防止できる。
【００５２】
以上、本発明の実施形態について詳述したが、本発明はその具体的な記載によって限定されない。例えば、第一固定板４２に嵌合凹部としての嵌合孔６８を設ける一方、第二固定板６２に嵌合突部４８を設けることも可能である。なお、嵌合凹部は、第一固定板４２を貫通していなくとも良い。
【００５３】
第一及び第二ケースとしてのアッパ及びロアケース１２，１４の各周壁部２０，５２に対する第一固定部３４（第一固定板４２）や第二固定部６０（第二固定板６２）の形成位置や形成個数は、電気接続箱１０全体の大きさなどに応じて適宜に変更可能である。
【００５４】
また第一固定板４２や第二固定板６２、第一補強リブ３８や第二補強リブ７０の板厚寸法は適宜に設定可能であり、反りの問題が生じなければ、何れか一方を他方よりも厚くする等、相互に異ならせても良い。
【符号の説明】
【００５５】
１０：電気接続箱、１２：アッパケース（第一ケース）、１４：ロアケース（第二ケース）、１６：電気回路体、２０：周壁部、３８：第一補強リブ、４２：第一固定板、４８：嵌合突部、５２：周壁部、６２：第二固定板、６８：嵌合孔（嵌合凹部）、７０：第二補強リブ、７２：周縁リブ、７４：ボルト固定部、７６：ボルト挿通部、７８：ピン挿通孔、８０：支持部材、８２：位置決めピン
【図１】
0005630089.tif 000002
【図２】
0005630089.tif 000003
【図３】
0005630089.tif 000004
【図４】
0005630089.tif 000005